(57)【要約】【課題】嵩張る張り出し部を少なくして携帯性に優れ、椅子として使用するときは設置時の安定性に優れる、椅子に変えることのできる杖を提供する。【解決手段】上部杖部材１と下部杖部材２とを有し、杖として使用するときは体を支えるために使用する棒となり、椅子として使用するときには脚となる杖部材１００と、杖部材１００に回動可能に取り付けてあり、杖として使用するときは折り畳まれ、椅子として使用するときに脚となる杖部材１００の上で展開して座面を形成する座部材３とを備え、杖としては、上部杖部材１と下部杖部材２を直線的な棒状となし、座部材３は折り畳んで杖部材１００に沿わせ、椅子としては、下部杖部材２を回動し上部杖部材１と協働して脚を構成するようにした。【選択図】        図１
2004242967.tif 000002
【特許請求の範囲】
【請求項１】
上部杖部材（１）と、上部杖部材（１）に回動または揺動可能に取り付けられている下部杖部材（２）とを有し、杖として使用するときは体を支えるために使用する棒となり、椅子として使用するときには二本足の脚となる杖部材（１００）と、
杖部材（１００）に回動または揺動可能に取り付けてあり、杖として使用するときは折り畳まれて収容され、椅子として使用するときに脚となる杖部材（１００）の上で展開して座面を形成する座部材（３）と、
を備えており、
杖として使用するときには、杖部材（１００）は、上部杖部材（１）と下部杖部材（２）とを直線的な棒状となし、座部材（３）は折り畳んで杖部材（１００）に沿わせて収容するよう構成し、
椅子として使用するときは、杖部材（１００）は、下部杖部材（２）を回動または揺動し上部杖部材（１）と協働して脚を構成し、上部杖部材（１）の上端部と下部杖部材（２）の下端部が接地部となり、上部杖部材（１）の下端部と下部杖部材（２）の上端部が、展開した座部材（３）を下方から支えるように構成したことを特徴とする、
椅子に変えることのできる杖。
【請求項２】
上部杖部材（１）の上端部には、椅子として使用するときに接地して安定体として機能する握り部が設けてあることを特徴とする、
請求項１記載の椅子に変えることのできる杖。
【発明の詳細な説明】
【０００１】
【発明の属する技術分野】
本発明は椅子に変えることのできる杖に関する。
更に詳しくは、嵩張る張り出し部を少なくして携帯性に優れるようにしたものに関する。また、椅子として使用するときは更に設置時の安定性にも優れるようにしたものに関する。
【０００２】
【従来の技術】
現在、我が国における出生率は年々低下の一途を辿っており、高齢化社会の到来は避けられない事態となっている。こうしたことから近年では、種々の分野において高齢者向けの商品開発が盛んである。
【０００３】
このような商品の一つとして、例えば、特許文献１に示す椅子に変えることのできる杖がある。
この杖は、一本の主脚と二本の脇脚を備えており、杖の状態のときは脇脚が主脚の両側方に拡がっていることで三本足の杖として使用でき、また、形を変えて主脚と脇脚の計三箇所を接地させることで安定性に優れた椅子として使用できる。
上記した杖は、杖の状態から椅子に変えることで、どこででも休むことができるので、座る場所を探さなくて良く便利である。
【０００４】
【特許文献１】
特開平１０−１７９２２２号公報
【０００５】
【発明が解決しようとする課題】
しかし、特許文献１に開示された杖には、次のような課題があった。
即ち、上記した杖は、杖としての歩行補助機能を高めるために三本足となるように構成したとしてあるが、実際の使用において三本足の杖は、脇脚が外方に張り出しているために、歩行に際し足が脇脚に当たったりして邪魔であった。また、座部材についても、杖の状態にした際に主脚の側部にそのままの形で配置されているので邪魔であった。
つまり、上記した杖は、脇脚や座部材が嵩張るので携帯性が悪く、杖として使用し難かった。
【０００６】
（本発明の目的）
本発明の目的は、嵩張る張り出し部を少なくして携帯性に優れるようにし、杖として使用し易い、椅子に変えることのできる杖を提供することにある。
また、本発明の他の目的は、椅子として使用するときは更に設置時の安定性にも優れる、椅子に変えることのできる杖を提供することにある。
【０００７】
【課題を解決するための手段】
上記目的を達成するために講じた本発明の手段は次のとおりである。
第１の発明にあっては、
上部杖部材と、上部杖部材に回動または揺動可能に取り付けられている下部杖部材とを有し、杖として使用するときは体を支えるために使用する棒となり、椅子として使用するときには二本足の脚となる杖部材と、
杖部材に回動または揺動可能に取り付けてあり、杖として使用するときは折り畳まれて収容され、椅子として使用するときに脚となる杖部材の上で展開して座面を形成する座部材と、
を備えており、
杖として使用するときには、杖部材は、上部杖部材と下部杖部材とを直線的な棒状となし、座部材は折り畳んで杖部材に沿わせて収容するよう構成し、
椅子として使用するときは、杖部材は、下部杖部材を回動または揺動し上部杖部材と協働して脚を構成し、上部杖部材の上端部と下部杖部材の下端部が接地部となり、上部杖部材の下端部と下部杖部材の上端部が、展開した座部材を下方から支えるように構成したことを特徴とする、
椅子に変えることのできる杖である。
【０００８】
第２の発明にあっては、
上部杖部材の上端部には、椅子として使用するときに接地して安定体として機能する握り部が設けてあることを特徴とする、
第１の発明に係る椅子に変えることのできる杖である。
【０００９】
（作  用）
本発明に係る杖は、杖として使用するときは、上部杖部材と下部杖部材とを直線的な棒状となし、座部材は折り畳んで杖部材に沿わせた状態にする。杖は、この杖の状態のときに張り出して嵩張るような箇所ができない。従って、本発明に係る杖は、携帯性に優れており、杖として使用しやすい。
【００１０】
本発明に係る杖は、上部杖部材の上端部に、椅子として使用するときに接地して安定体として機能する握り部が設けてあるので、椅子として使用するときは、設置時の安定性に優れた状態で使用できる。
【００１１】
【発明の実施の形態】
図１は本発明に係る杖の一実施の形態を示しており、杖の状態のときの斜視説明図、
図２は椅子に変えた状態を示す斜視説明図、
図３は掛止状態を解除した座面部材を拡げた状態を示す拡大斜視説明図、
図４は座面部材を省略しており、座部材を拡げた状態を示す拡大斜視説明図、
図５は座部材を構成する基部材と操作部材と座面部材の連結状態を示す拡大断面説明図、
図６は座面部材の掛止状態を解除する掛止解除レバーに指を添えた状態を示す拡大斜視説明図、
図７は掛止解除レバーを動かし、座面部材の掛止状態を解除した状態を示す拡大斜視説明図、
図８は図１に示す状態から座部材を拡げて、座面を形成した状態を示す斜視説明図、
図９は図８に示す状態から上部杖部材を下方へ回動させた状態を示す斜視説明図である。
【００１２】
杖Ｓは、上端部に握り部１１（ハンドル）が設けてある上部杖部材１と、下端部に石突部２１が設けてある下部杖部材２を有し、杖として使用するときは体を支えるために使用する直線的な棒となり、椅子として使用するときには二本足の脚となる杖部材１００を備えている。杖部材１００を構成する上部杖部材１の下端部には、回動または揺動して角度調整できるようにして座部材３が連結してある。
【００１３】
上部杖部材１は、所要長さを有する棒体１０を備え、その上端に握り部１１を棒体１０の軸線方向と略直交するよう設けて、上部側が略「Ｔ」字状に形成してある。
本実施の形態で棒体１０は、金属の丸筒体（パイプ）で形成したものを使用し、握り部１１は木材で形成したものを使用した。
【００１４】
棒体１０の下端部は、切断面が斜めに表れるよう形成してある（図示省略）。この傾斜部は、椅子の状態にしたときに実質的に隙間なく座部材３の裏面に当たる。
【００１５】
握り部１１の両端の表面には、握り部１１の損傷を防止する保護カバー１１０，１１０が取り付けてある。保護カバー１１０は、接地部を構成し、金属の薄板体を握り部１１の表面形状に沿うよう曲げて形成してあり、複数個の鋲（符号省略）で固定してある。
【００１６】
本実施の形態で上部杖部材１は、上部側が略「Ｔ」字状に形成したものを示したが、これは限定するものではなく、例えば、上部側は略「Ｌ」字状、「了」字状、「Ｙ」字状等、種々の形状にできる。
【００１７】
また、棒体１０は、金属の丸筒体で形成したものを使用し、握り部１１は木材で形成したものを使用したが、棒体の形状は特に限定するものではなく、例えば、角筒体、中実の丸棒体や角棒体等を使用することもできる。
更に、棒体や握り部の材料も特に限定するものではなく、例えば、金属、合成樹脂、木材またはこれらの複合物等が使用できる。
【００１８】
下部杖部材２は、杖の状態のときに上部杖部材１の下部側を収容する収容部材２００と、その下側に所要長さを有する棒体２０１を直線的に繋げ、下端部に接地部を構成する石突部２１を設けて形成してある。
本実施の形態で収容部材２００は、金属の四角筒体の所要箇所を欠除して形成したものを使用し、棒体２０１は金属の丸筒体で形成したものを使用した。また、石突部２１は、木材で形成したものを使用した。
【００１９】
図９を参照する。収容部材２００のうち略中央部を含んだ上部側は、一面を欠除して開口部２０５ができる横断面略「匚」状に形成してある。
図２を参照する。収容部材２００のうち略中央部を含んだ下部側は、開口部２０６が上記欠除した面と対向する面にできる横断面略「コ」状に形成してある。
開口部２０５，２０６は、椅子の状態にしたときに端縁部が実質的に隙間なく棒体１０に当たる。
【００２０】
収容部材２００の上端部２００ａは、切断面が斜めに表れるよう形成してある。この上端部２００ａは、椅子の状態にしたときに実質的に隙間なく座部材３の裏面に当たる。
上端部２００ａを構成する縁部の一部には切欠部２０７が形成してある（図９参照）。切欠部２０７は、座部材３を上部杖部材１と下部杖部材２の上部に架け渡して椅子の状態に変える際に、座面部材３３を止めている紐３８１（図５参照）等の引っ掛かりを防止する。
【００２１】
石突部２１の底面側には、杖Ｓを椅子の状態に変えるときに地面や床面と略平行な状態で接する傾斜した接面部２１０が形成してある。
【００２２】
本実施の形態で収容部材２００と棒体２０１は、共に金属で形成したものを使用し、石突部２１は木材で形成したものを使用したが、収容部材、棒体、石突部を形成する材料は特に限定するものではなく、金属、合成樹脂、木材またはこれらの複合物等が使用できる。
収容部材２００や棒体２０１の形状も特に限定するものではない。収容部材については、内部に上部杖部材の少なくとも下部側が収容できれば、例えば、丸筒体等が使用できる。棒体については、例えば、角筒体、中実の丸棒体や角棒体等が使用できる。
また、本実施の形態で下部杖部材２は、収容部材２００と棒体２０１を繋いで形成したが、これも限定するものではなく、予め一体に形成してあるものを使用することもできる。
【００２３】
図２を参照する。収容部材２００の略中央部には、上部杖部材１を回動可能に連結する連結軸２０２が、開口部２０５と開口部２０６を形成する側面間に設けてある。
【００２４】
図２、図９を参照する。上部杖部材１は、棒体１０の下部側を開口部２０５から開口部２０６に抜けるよう収容部材２００内に通し、連結軸２０２によって下部杖部材２と連結してある。これにより上部杖部材１と下部杖部材２は、交差した状態から連結軸２０２を中心として回動し、棒体１０の下部側を収容部材２００内に収容して直線的な棒状態にできる（図９で示す想像線参照）。
【００２５】
収容部材２００の下部側には、座部材３を連結している連結軸３５を杖の状態のときに収容する嵌合溝２２が形成してある。
嵌合溝２２の下側には、上部杖部材１と下部杖部材２を所定の角度で固定する、固定手段を構成する留め具２３（ステー）の基端が回動可能に取り付けてある。留め具２３は、先端に掛止ピン２３０が設けられた金属の板状体で形成してあり、付勢体２３１によって常態で収容部材２００の長さ方向に沿うようにしてある。
本実施の形態で付勢体２３１は伸縮体であるゴム紐を輪状にしたものを使用したが、これは限定するものではなく、例えば、コイルバネ等が使用できる。
【００２６】
また、上記した棒体１０のうち、連結軸２０２と連結された部分の近傍には、棒体１０の表面より突出した状態を維持するよう付勢してある球形状（図２，図９において突出した箇所は半球形状に見える）の押圧部材１２が設けてある。
押圧部材１２は、上部杖部材１と下部杖部材２を直線的な状態にしたときに収容部材２００の内側面と当たって棒体１０の内方に押し込まれ、収容部材２００の当接箇所を内側から押圧している。
【００２７】
図１、図８、図９参照する。棒体１０のうち、上部杖部材１と下部杖部材２を直線的な状態にしたときに下部杖部材２の上端部が位置する部分の近傍には、棒体１０の長さ方向に沿ってスライド可能な固定部材１３が設けてある。
固定部材１３は、スライドして上部杖部材１と下部杖部材２を直線的な状態で掛止したり、この掛止状態を解除したりする。
固定部材１３によって下部杖部材２を掛止した場合では、押圧部材１２が下部杖部材２の内面を押圧しているので、固定部材１３にも下部杖部材２によって押圧力がかかる。従って、このとき固定部材１３は、下部杖部材２の掛止状態を解除する方向には、押圧部材１２と協働しており簡単にスライドしない。なお、押圧部材１２と固定部材１３は、上部杖部材１と下部杖部材２を直線的な状態で固定する固定手段を構成する。
【００２８】
更にまた棒体１０のうち、固定部材１３と略対応する高さの位置には、留め具２３の掛止ピン２３０を掛止する掛止受部１４が設けてある。掛止受部１４には、掛止ピン２３０が嵌る掛止穴１４０がある。掛止受部１４は、交差した上部杖部材１と下部杖部材２を所定の角度で固定する、固定手段を構成する。
【００２９】
主に図２、図３、図４、図５を参照する。座部材３は、基部材３０と、基部材３０に重なった状態から拡開できる座枠部材３１，３１と、座枠部材３１，３１を拡げて、しかも拡げた状態が維持できる操作部材３２と、拡げられた座枠部材３１，３１上に座面を形成する座面部材３３を備えている。
【００３０】
基部材３０は、連結軸３５によって上部杖部材１の下端部に連結してある。基部材３０は、所要長さを有する金属の四角筒体の長さ方向における側面の一面を欠除して、横断面略「コ」状に形成してある。
基部材３０は、内部の幅が下部杖部材２（具体的には収容部材２００）の外幅よりやや大きく形成してあり、杖の状態のときに下部杖部材２の外側に被さるようになっている。
【００３１】
基部材３０のうち連結軸３５側の端部には、側面視略「Ｌ」字状を有する金属の取付部材３６が、一方の板部３６ａを基部材３０に固定して、他方の板部３６ｂと基部材３０の上面とがやや隙間をもった状態で略平行になるよう取り付けてある。
【００３２】
図４を参照する。基部材３０のうち連結軸３５とは反対側の外側面には、掛止部３００が突設してある。掛止部３００は、座面部材３３を下部杖部材２の周りに巻き付けた状態で固定するためのものである。
【００３３】
座枠部材３１，３１は、上記した基部材３０をいわば縦割りにした所要長さを有する側面視略「Ｌ」字状に形成してある。各座枠部材３１は、基端側を板部３６ｂと基部材３０の隙間に挿し込み、連結ピン３６０を設けて取り付けてある。座枠部材３１は、回動して基部材３０の表面上に重ねることができる。なお、連結ピン３６０は、座枠部材３１を貫通して、先端が基部材３０に実質的に固定してある。
【００３４】
各座枠部材３１の基端側の外側面には、連結軸３５の端側が収容する収容孔３１０が形成してある。
図７を参照する。この外側面の反対側には、座枠部材３１を基部材３０に重ねたときに、突出した掛止部３００が貫通する貫通孔３１１が形成してある。
図４の奥側を参照する。各座枠部材３１の拡がる側の縁部は、掛止解除レバー（下記参照）の回動方向を案内する案内部３１３を形成するために、略「へ」字状に形成してある。
【００３５】
各座枠部材３１の案内部３１３と対応する外側面には、薄板を略「く」字状に折り曲げた掛止解除レバー３９が、常態で一方の板部を座枠部材３１に当て、他方の板部が案内部３１３より突出するよう付勢体３９１（図７参照）によって取り付けてある。掛止解除レバー３９のうち座枠部材３１と接する板部には、貫通孔３１１と対応させて切溝部３９０が形成してある。
【００３６】
図６，図７を参照する。掛止解除レバー３９，３９は、案内部３１３，３１３より突出した板部に指を添え、案内部３１３，３１３を支点として押して内方に回動させることで、切溝部３９０，３９０を備えた板部が座枠部材３１，３１の外側面から離れるように動く。
【００３７】
図４を参照する。一方の座枠部材３１の貫通孔３１１側と対応する裏面には、回動した操作部材３２を所定位置で停止させる停止部材３１２が設けてある。
座枠部材３１，３１は、付勢体３７を架け渡して、常態で互いに引き寄せる方向に付勢されるようにしてある。
本実施の形態で付勢体３９１及び付勢体３７は、伸縮体であるゴム紐を輪状にしたものを使用したが、これは限定するものではなく、例えば、コイルバネ等が使用できる。
【００３８】
図４，図５を参照する。操作部材３２は所要長さを有する板状体であり、連結ピン３８によって長さ方向の略中央部が、基部材３０の連結軸３５の反対側に回動可能に取り付けてある。連結ピン３８の中心部には、この連結ピン３８の軸線方向に貫通した貫通孔３８０が形成してある。また、操作部材３２の両端側は、座枠部材３１，３１の内面と当たった状態で円滑に動くように丸く形成してある。
操作部材３２の一端側には、操作部材３２を操作する操作摘部３２０が突設してある。
操作部材３２と基部材３０の間には、滑りを良くするための摺動シート３２１が介在させてある。
【００３９】
本実施の形態で操作部材３２は、所要の長さを有する板状体を使用したが、これは限定するものではなく、所要長さを有し、回動させて座枠部材を拡げる方向に押しやることができれば、例えば、丸棒状、丸筒状、角棒状、角筒状のものを使用することもできる。
【００４０】
座面部材３３は、柔軟性を有する革のシート材で形成したシート本体３３０を備え、表面に緩衝性を有するクッション部材３３１を設けて形成してある。座面部材３３は、座枠部材３１，３１を拡げたときの上面となる部分（座面）の全体を覆うことのできる略三角形状に形成してある。
【００４１】
図４を参照する。クッション部材３３１のうち連結ピン３８と対応する箇所に配置されるものには、表面より凹ませて取付凹部３３２が形成してある。取付凹部３３２は、クッション部材３３１の表面に掩蔽部材３３３を貼って隠されている。
【００４２】
座面部材３３のうち掛止解除レバー３９の近傍と対応する部分は、やや延出して形成してある。座面部材３３のこの部分には、孔部３３４，３３４が形成してあり、更にその先端には操作片３３５，３３５が設けてある。各孔部３３４は鳩目を設けて周りが補強してある。
【００４３】
図２，図３を参照する。座面部材３３は、略三角形状に形成してあるシート本体３３０の一角部側を板部３６ｂと座枠部材３１の隙間に挿し込んで連結ピン３６１で固定し、更に、貫通孔３８０内に挿し込んだ紐３８１を取付凹部３３２に通して固定してある。連結ピン３６１は、先端が基部材３０に実質的に固定してある。
図５を参照する。紐３８１は両端にカシメ具３８２を設けて、貫通孔３８０より抜けないようにしてある。
【００４４】
図２を参照する。座枠部材３１のうち連結ピン３６１と対応する箇所には、切欠部（符号省略）が形成してあり、これにより連結ピン３６１は座枠部材３１を閉じるのに邪魔にならない。
【００４５】
本実施の形態でシート本体３３０は、柔軟性を有する革のシート材で形成したものを使用したが、これは限定するものではなく、例えば、布、シート状のゴムや合成樹脂を使用することもできる。
【００４６】
本実施の形態で座部材３を構成する基部材３０、座枠部材３１，操作部材３２、取付部材３６、連結ピン３８、掛止解除レバー３９は、いずれも金属で形成したものを使用した。しかし、これらを形成する材料は特に限定するものではなく、合成樹脂、木材またはこれらの複合物等が使用できる。また、各部材の形状も上記したものに限定されない。
【００４７】
（作  用）
図１ないし図９を参照して、本実施の形態で示す杖Ｓの作用を説明する。
−杖として使用する場合−
図１に示すように杖Ｓは、上部杖部材１と下部杖部材２を直線的な状態にして固定部材１３で固定し、座部材３の座枠部材３１，３１も閉じて、座面部材３３を下部杖部材２の周りに巻き付けることで杖の状態となる。
【００４８】
図１，図６を参照する。杖の状態にしたときの座部材３は、座枠部材３１，３１が基部材３０に重なり、基部材３０と操作部材３２が下部杖部材２の長さ方向に沿った状態となる。このとき掛止部３００は、貫通孔３１１内を貫通して座枠部材３１，３１の外方に突出する。
座面部材３３は、基部材３０の周りに巻き付けて、孔部３３４，３３４を座枠部材３１，３１から突出した掛止部３００に掛止して固定しておく。
杖としては、この状態で使用する。
【００４９】
−椅子として使用する場合−
杖Ｓは、次のようにして杖から椅子に変わる。
▲１▼図６，図７を参照する。掛止解除レバー３９，３９の突出した板部に指を添え、互いに内方に押して案内部３１３を支点として回動させる。これにより掛止解除レバー３９，３９の切溝部３９０を有する板部が、梃子の要領で座枠部材３１，３１の外側面から離れるように起き上がり、孔部３３４，３３４を外方に押しやる。こうして孔部３３４，３３４と掛止部３００との掛止状態が解除される。
【００５０】
▲２▼操作摘部３２０を摘み持って操作部材３２を回動する。操作部材３２は、連結ピン３８を中心として、両端側が座枠部材３１，３１の内側を押しやって拡げながら回動する。操作部材３２は、両端側が丸く形成してあるので、座枠部材３１，３１の内側と当たっても回動が円滑である。
操作部材３２は、基部材３０と略直交する位置まで回動したら、停止部材３１２と当たって停止し、この状態を維持する。
この操作により座面は拡げられた座枠部材３１，３１と操作部材３２の上側に、座面部材３３が拡がった状態となる。
【００５１】
▲３▼固定部材１３を握り部１１側へスライドし、下部杖部材２の上端部を掛止していた状態を解除する。
図９を参照する。連結軸２０２を中心として、直線的な状態で固定されていた上部杖部材１と下部杖部材２を回動し交差する。
【００５２】
▲４▼下部杖部材２に沿って留め具２３を回動させて、先端の掛止ピン２３０を掛止受部１４の掛止穴１４０に嵌める。こうして上部杖部材１と下部杖部材２を交差した所定の状態で固定する。
【００５３】
図２，図９を参照する。このとき座部材３は、基部材３０の掛止部３００側が下部杖部材２に沿って上方向へ移動し、かつ連結軸３５を中心として上部杖部材１から離れる方向に回動する。
こうして座部材３は、上部杖部材１と下部杖部材２が所定の位置で固定されたときに、上部杖部材１と下部杖部材２の上部に架け渡された状態となる。
このようにして杖Ｓは、杖の状態から変えて椅子として使用できる。
【００５４】
椅子の状態にしたとき、棒体１０の下端部と座部材３、開口部２０５，２０６と棒体１０、収容部材２００の上端部と座部材３は、この間に実質的に隙間ができない状態で当たる。従って、椅子の状態にした場合は、がたつきが生じ難い。
【００５５】
椅子の状態で杖Ｓは、石突部２１の接面部２１０と、上部側が略「Ｔ」字状に形成されており、安定体として機能できる握り部１１（詳しくは保護カバー１１０，１１０）が接地する。
従って、椅子の状態にした杖Ｓは、地面等に設置した状態で自立でき、安定性に優れた状態で使用できる。
【００５６】
杖Ｓは、上記したように杖の状態のときに、座枠部材３１，３１を閉じて、座面部材３３が下部杖部材２の周りに巻き付かせてあるので、座部材３が下部杖部材２から殆ど張り出さない。
このため歩行に際し足が当たったりして邪魔になる箇所がない。従って、杖Ｓは、携帯性に優れており、しかも通常の杖と比べても同等の使用感が得られるので使いやすい。
【００５７】
なお、上記説明は、座部材３で座面を形成した後に、上部杖部材１と下部杖部材２とを交差させるようにしたが、この手順は限定するものではなく、例えば、上部杖部材１と下部杖部材２を交差させた後に、座部材３を拡げて椅子にしても良い。
椅子の状態から杖の状態にするときの作用は、上記と逆の手順で行えば良いので、説明は省略する。
【００５８】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００５９】
【発明の効果】
本発明は上記構成を備え、次の効果を有する。
（ａ）本発明に係る杖は、杖として使用するときは、上部杖部材と下部杖部材とを直線的な棒状となし、座部材は折り畳んで杖部材に沿わせた状態にする。杖は、この杖の状態のときに張り出して嵩張るような箇所ができない。従って、本発明に係る杖は、携帯性に優れており、杖として使用しやすい。
【００６０】
（ｂ）本発明に係る杖は、上部杖部材の上端部に、椅子として使用するときに接地して安定体として機能する握り部が設けてあるので、椅子として使用するときは、設置時の安定性に優れた状態で使用できる。
【図面の簡単な説明】
【図１】本発明に係る杖の一実施の形態を示しており、杖の状態のときの斜視説明図。
【図２】椅子に変えた状態を示す斜視説明図。
【図３】掛止状態を解除した座面部材を拡げた状態を示す拡大斜視説明図。
【図４】座面部材を省略しており、座部材を拡げた状態を示す拡大斜視説明図。
【図５】座部材を構成する基部材と操作部材と座面部材の連結状態を示す拡大断面説明図。
【図６】座面部材の掛止状態を解除する掛止解除レバーに指を添えた状態を示す拡大斜視説明図。
【図７】掛止解除レバーを動かし、座面部材の掛止状態を解除した状態を示す拡大斜視説明図。
【図８】図１に示す状態から座部材を拡げて、座面を形成した状態を示す斜視説明図。
【図９】図８に示す状態から上部杖部材を下方へ回動させた状態を示す斜視説明図。
【符号の説明】
Ｓ  杖
１  上部杖部材
１０  棒体
１００  杖部材
１１  握り部
１１０  保護カバー
１２  押圧部材
１３  固定部材
１４  掛止受部
１４０  掛止穴
２  下部杖部材
２００  収容部材
２００ａ  上端部
２０１  棒体
２０２  連結軸
２０５  開口部
２０６  開口部
２０７  切欠部
２１  石突部
２１０  接面部
２２  嵌合溝
２３  留め具
２３０  掛止ピン
２３１  付勢体
３  座部材
３０  基部材
３００  掛止部
３１  座枠部材
３１０  収容孔
３１１  貫通孔
３１２  停止部材
３１３  案内部
３２  操作部材
３２０  操作摘部
３３  座面部材
３３０  シート本体
３３１  クッション部材
３３２  取付凹部
３３３  掩蔽部材
３３４  孔部
３３５  操作片
３５  連結軸
３６  取付部材
３６０  連結ピン
３６１  連結ピン
３７  付勢体
３８  連結ピン
３８０  貫通孔
３８１  紐
３９  掛止解除レバー
３９０  切溝部
３９１  付勢体
【図１】
2004242967.tif 000003
【図２】
2004242967.tif 000004
【図３】
2004242967.tif 000005
【図４】
2004242967.tif 000006
【図５】
2004242967.tif 000007
【図６】
2004242967.tif 000008
【図７】
2004242967.tif 000009
【図８】
2004242967.tif 000010
【図９】
2004242967.tif 000011